(57)【要約】本発明は、反射シート層と前記反射シート層上に塗布された塗料及び光吸収剤の混合材料層を備える底面、及び反射シート層を有して前記底面から突出した文字部及び枠部を備える反射式車両用番号板を提供する。
2008543628.tif 000002
【特許請求の範囲】
【請求項１】
反射式車両用番号板において、
反射シート層と前記反射シート層上に塗布されて塗料及び光吸収剤の混合材料層を備える底面と、
前記反射シート層を有して前記底面から突出した文字部及び枠部とを備える反射式車両用番号板。
【請求項２】
前記混合材料層の前記塗料及び光吸収剤は100:1〜100:2の比率で混合されたことを特徴とする請求項1に記載の反射式車両用番号板。
【請求項３】
前記塗料対光吸収剤の混合比率が100:1.5であることを特徴とする請求項2に記載の反射式車両用番号板。
【請求項４】
反射式車両用番号板製造方法において、
a)基板に反射シート層を形成する段階と、
b)前記基板及び反射シート層をプレッシング加工して文字部及び枠部を突出させて突出部を形成する段階と、
c)前記反射シート層中の底面を形成する部分に塗料及び光吸収剤の混合材料を塗布して混合材料層を形成する段階と、
を備える反射式車両用番号板製造方法。
【請求項５】
前記混合材料層の前記塗料及び光吸収剤は100:1〜100:2の比率で混合されたことを特徴とする請求項4に記載の反射式車両用番号板製造方法。
【請求項６】
前記塗料対光吸収剤の混合比率が100:1.5であることを特徴とする請求項5に記載の反射式車両用番号板製造方法。
【発明の詳細な説明】
【技術分野】
【０００１】
本発明は車両用番号板に関するものであり、より詳細には夜間に光反射性が高いながら交通取締カメラによりその番号が鮮明に識別できる反射式車両用番号板に関するものである。
【背景技術】
【０００２】
光が照射された時に表面で反射がより十分に生じるように構成されて道路上で車両の存在をより容易に認識することができるようにすることによって各種交通事故を減少させようと考案された反射番号板が車両識別のために多くの先進国で広く使用されている。
【０００３】
このような反射番号板が最近韓国に導入されて使用されている。しかし、交通法規違反車両取締用赤外線照射無人カメラに違反車両の車両番号が反射番号板の乱反射により識別が不可能に映されて出るようになった。そのため、韓国では配布した反射番号板を再び回収して無人カメラによっても鮮明に識別できる反射番号板の開発に拍車をかけている状態である。
【０００４】
上述した通り、反射番号板の製造にあって困難なのは無人カメラに捉えられた反射番号板の車両番号がより鮮明に識別できるように作ることにある。もう1つの困難は、国内の場合、既存の無人カメラの赤外線照射強度が大部分の車両に使用されているペイント式車両番号板の夜間識別程度を考慮して非常に強く設定されているということである。
【０００５】
このように大きい強度の照射赤外線は反射番号板で発生する乱反射の主要な原因になるので、既存の無人カメラによっても鮮明に識別できる反射番号板製造に大きな困難がある。これを避けるために全国の全ての無人カメラの赤外線照射強度設定を変更することは途方もない費用と時間が要される。また、設けられた無人カメラの中には照射強度変更自体が不可能なものが多い。もし、上述した困難をかえりみずに赤外線照射強度が適切に再設定されるとしても、現在広く使用されている無反射型車両番号板の車両番号識別がまた極めて難しくなる。従って、交通体系の全般的状況を改善するために車両番号板が交換されなければならない。
【発明の開示】
【発明が解決しようとする課題】
【０００６】
従って、本発明の目的は既存の無反射型車両番号板識別のための赤外線照射強度を有する無人交通法規違反車両摘発用カメラの赤外線照射強度下でも鮮明に識別できる反射式車両用番号板を提供することである。
【０００７】
本発明の他の目的はこのような反射式車両用番号板を製造する製造方法を提供することである。
【課題を解決するための手段】
【０００８】
上述した本発明の目的及びもう一つの目的は、反射シート層と前記反射シート層上に塗布された塗料及び光吸収剤の混合材料層を含む底面、そして反射シート層を有して前記底面から突出した文字部及び枠部を含む反射式車両用番号板を提供して達成できる。
【発明を実施するための最良の形態】
【０００９】
以下では、添付された図面を参照して本発明の望ましい実施の形態を詳細に説明する。
【００１０】
図1は本発明の反射式車両番号板の平面図である。
本発明の反射式車両番号板(10)は反射シート(reflective sheet)を備える文字部(14)及び枠部(16)部分と、塗料及び光吸収剤の混合材料層を備えて減少した輝度または反射率を有する底面(12)を備える。
【００１１】
このように底面(12)の反射率を減少させることによって、既存の無反射式車両番号板の識別のために強い赤外線照射強度で設定された既存の赤外線照射無人カメラによっても、車両番号または文字を含む文字部が鮮明に識別できる。本発明では、底面(12)の反射率を減少させるために、一定の比率で混合された塗料と光吸収剤の混合材料を文字部(14)及び枠部(16)を除いた底面(12)に塗布する。
【００１２】
図2を参照して本発明の反射式車両番号板の製造段階を詳細に説明する。
【００１３】
(a)反射シート付着段階
車両番号板の大きさを有する金属材基板(20)全面に光反射率に優れた反射シート(reflective sheet)を接着剤などを使用して接着することによって、反射シート層(22)を形成する。この時、基板(20)の材質はアルミニウムまたはアルミニウム合金を使用することが望ましく、反射シート層(22)の色相は白色または黄色であることがより望ましい。白色または黄色は文字部(14)及び枠部(16)に適した色相である。後工程で反射シート層(22)で底面(12)を形成する部分は紫色、青色あるいは藍青色などで再び塗布される。
【００１４】
(b)プレッシング加工段階
反射シート層(22)が形成された基板(20)をプレッシング(pressing)加工して文字部(14)及び枠部(16)を反射シート層(22)側に突出させる。
【００１５】
(C)塗装段階
次に、基板(20)の底面(12)を形成する反射シート層(22)上に塗料と光吸収剤の混合材料を塗布して混合材料層(26)を形成する。塗料は基板(20)の底面(12)の色相を決定して反射シート層(22)の反射率を落とす機能をする。前で説明した通り、塗料は紫色、藍青色、青色であることが望ましい。光吸収剤は赤外線吸収剤を含む。反射率減少を確実にするために本発明では塗料と光吸収剤が一定比率で混合された混合材料を使用する。塗料対光吸収剤重量の比率は100:1〜100:2の範囲であることが望ましい。この段階は望ましくはホットスタンピング加工(hot stamping)により処理される。例えば、基板(20)と同一の大きさのシートを設け、このシート上に文字部(14)及び枠部(16)を除いた部分に塗料と光吸収剤の混合材料を配置した後、混合材料が配置されたシートを前記(b)段階を経た基板(20)上に整合してホットスタンピングし、底面(12)を形成する反射シート層(22)上に混合材料層が塗布される。
【００１６】
塗料と光吸収剤の混合比率の決定においては、光吸収剤の含有量があまりにも高い場合、反射番号板の反射率を減少させることと、光吸収剤含有量があまりにも少ない場合、乱反射により既存の無人カメラによる識別力が落ちる点を考慮して適切に選択できる。出願人の試験によれば、重量比で100:1.5の塗料対光吸収剤の混合比率である時、反射番号板の反射率が適切で既存の無人カメラによる識別力も優れていると判明した。
【００１７】
このようにして、底面(12)は反射率がほぼない程度に低く文字部(14)及び枠部(16)は反射率が相対的に高い反射式車両用番号板が完成する。
【産業上の利用可能性】
【００１８】
本発明の反射式車両用番号板は文字部の適正反射率を維持しながら底面の反射率を減少させて赤外線照射機能を有する既存の無人カメラによっても容易に識別できる反射式車両用番号板を提供する。
【図面の簡単な説明】
【００１９】
【図１】本発明の反射式車両番号板の平面図。
【図２】本発明の反射式車両番号板の製造工程を示した断面図。
【図１】
2008543628.tif 000003
【図２】
2008543628.tif 000004
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
反射式車両用番号板において、
反射シート層を有する文字部及び枠部と、
前記反射シート層と前記反射シート層上に塗布されて塗料及び光吸収剤の混合材料層を備える底面と、
を備える反射式車両用番号板。
【請求項２】
前記混合材料層の前記塗料及び光吸収剤は100:1〜100:2の比率で混合されたことを特徴とする請求項1に記載の反射式車両用番号板。
【請求項３】
前記塗料対光吸収剤の混合比率が100:1.5であることを特徴とする請求項2に記載の反射式車両用番号板。
【請求項４】
反射式車両用番号板製造方法において、
a)基板に反射シート層を形成する段階と、
b)前記基板を前記反射シート層と共にプレッシング加工して文字部及び枠部を形成する段階と、
c)前記文字部及び枠部を除いた前記反射シート層上に塗料及び光吸収剤の混合材料を塗布して混合材料層を形成する段階と、
を備える反射式車両用番号板製造方法。
【請求項５】
前記混合材料層の前記塗料及び光吸収剤は100:1〜100:2の比率で混合されたことを特徴とする請求項4に記載の反射式車両用番号板製造方法。
【請求項６】
前記塗料対光吸収剤の混合比率が100:1.5であることを特徴とする請求項5に記載の反射式車両用番号板製造方法。
【国際調査報告】
2008543628.tif 000005
2008543628.tif 000006